【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
酸化的乾燥性フィルム形成剤と、皮張り防止剤としての
（ａ）有機又は無機酸素スカベンジャーを、
（ｂ）式（II）のアルキルアミン
【化１】
2008501821.tif 000001
｛ここで、Ｒ3、Ｒ4及びＲ5は互いに独立的に水素（しかし３つすべてが水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
及び／又は
（ｃ）式（III）のアルキルアルカノールアミン
【化２】
2008501821.tif 000002
｛ここで、Ｒ6及びＲ8は互いに独立的に水素（しかし両方共が水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基であることができ、
Ｒ7は直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
と共に含む組合せ物とを含有するコーティング材料、塗料又は仕上塗料。
【請求項２】
前記有機又は無機酸素スカベンジャーが次の一般式：
【化３】
2008501821.tif 000003
｛ここで、Ｒ1及びＲ2は互いに独立的に水素、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族である｝
のヒドロキシルアミンである、請求項１に記載のコーティング材料、塗料又は仕上塗料。
【請求項３】
前記ヒドロキシルアミンがヒドロキシルアミン、モノメチルヒドロキシルアミン、ジメチルヒドロキシルアミン、メチルエチルヒドロキシルアミン、モノエチルヒドロキシルアミン、ジエチルヒドロキシルアミン、ジブチルヒドロキシルアミン、ジベンジルヒドロキシルアミン、モノイソプロピルヒドロキシルアミン及びそれらの混合物から選択される、請求項２に記載のコーティング材料、塗料又は仕上塗料。
【請求項４】
前記有機又は無機酸素スカベンジャーがヒドロキノン、置換ヒドロキノン、セミヒドロキノン、カテコール、置換カテコール、エリソルビン酸、カルボヒドラジド、メチルエチルケトキシム及び亜硫酸塩から選択される、請求項１に記載のコーティング材料、塗料又は仕上塗料。
【請求項５】
前記アルキルアミンがモノエチルアミン、ジエチルアミン、トリエチルアミン、モノイソプロピルアミン、ジイソプロピルアミン、モノブチルアミン、ジブチルアミン、トリブチルアミン、モノアミルアミン、ジメチルエチルアミン、ジメチルイソプロピルアミン、エチルジイソプロピルアミン、ｓｅｃ−ブチルアミン、テトラメチルプロピレンジアミン、ジエチルアミノプロピルアミン、３−メトキシプロピルアミン、ジメチルアミノプロピルアミノプロピルアミン及び３−イソプロポキシプロピルアミン並びにそれらの混合物から選択される、請求項１に記載のコーティング材料、塗料又は仕上塗料。
【請求項６】
前記アルキルアルカノールアミンがメチルアミノエタノール、ジメチルアミノエタノール、メチルジエタノールアミン、エチルアミノエタノール、ジエチルアミノエタノール、ジメチルアミノ−２−プロパノール、イソプロピルアミノエタノール、ジイソプロピルアミノエタノール、ブチルアミノエタノール、ジブチルアミノエタノール、ブチルジエタノールアミン、ｔ−ブチルアミノエタノール及びそれらの混合物から選択される、請求項１に記載のコーティング材料、塗料又は仕上塗料。
【請求項７】
全表面コーティングを基準として０．００１〜２重量％の量で前記組合せ物を含有する、請求項１に記載のコーティング材料、塗料又は仕上塗料。
【請求項８】
前記酸化的乾燥性フィルム形成剤としてアルキド樹脂を含有する、請求項１に記載のコーティング材料、塗料又は仕上塗料。
【請求項９】
酸化的乾燥性フィルム形成剤を含有するコーティング材料、塗料又は仕上塗料の製造方法であって、
前記コーティング材料、塗料又は仕上塗料中に、
（ａ）有機又は無機酸素スカベンジャーを、
（ｂ）式（II）のアルキルアミン
【化４】
2008501821.tif 000004
｛ここで、Ｒ3、Ｒ4及びＲ5は互いに独立的に水素（しかし３つすべてが水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
及び／又は
（ｃ）式（III）のアルキルアルカノールアミン
【化５】
2008501821.tif 000005
｛ここで、Ｒ6及びＲ8は互いに独立的に水素（しかし両方共が水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基であることができ、
Ｒ7は直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
と共に含む皮張り防止組合せ物を加えることを含む、前記方法。
【請求項１０】
前記有機又は無機酸素スカベンジャーが次の一般式（Ｉ）：
【化６】
2008501821.tif 000006
｛ここで、Ｒ1及びＲ2は互いに独立的に水素、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
のヒドロキシルアミンである、請求項９に記載の方法。
【請求項１１】
前記ヒドロキシルアミンがヒドロキシルアミン、モノメチルヒドロキシルアミン、ジメチルヒドロキシルアミン、メチルエチルヒドロキシルアミン、モノエチルヒドロキシルアミン、ジエチルヒドロキシルアミン、ジブチルヒドロキシルアミン、ジベンジルヒドロキシルアミン、モノイソプロピルヒドロキシルアミン及びそれらの混合物から選択される、請求項９に記載の方法。
【請求項１２】
前記有機又は無機酸素スカベンジャーがヒドロキノン、置換ヒドロキノン、セミヒドロキノン、カテコール、置換カテコール、エリソルビン酸、カルボヒドラジド、メチルエチルケトキシム及び亜硫酸塩から選択される、請求項９に記載の方法。
【請求項１３】
前記アルキルアミンがモノエチルアミン、ジエチルアミン、トリエチルアミン、モノイソプロピルアミン、ジイソプロピルアミン、モノブチルアミン、ジブチルアミン、トリブチルアミン、モノアミルアミン、ジメチルエチルアミン、ジメチルイソプロピルアミン、エチルジイソプロピルアミン、ｓｅｃ−ブチルアミン、テトラメチルプロピレンジアミン、ジエチルアミノプロピルアミン、３−メトキシプロピルアミン、ジメチルアミノプロピルアミノプロピルアミン及び３−イソプロポキシプロピルアミン並びにそれらの混合物から選択される、請求項９に記載の方法。
【請求項１４】
前記アルキルアルカノールアミンがメチルアミノエタノール、ジメチルアミノエタノール、メチルジエタノールアミン、エチルアミノエタノール、ジエチルアミノエタノール、ジメチルアミノ−２−プロパノール、イソプロピルアミノエタノール、ジイソプロピルアミノエタノール、ブチルアミノエタノール、ジブチルアミノエタノール、ブチルジエタノールアミン、ｔ−ブチルアミノエタノール及びそれらの混合物から選択される、請求項９に記載の方法。
【請求項１５】
前記の酸化的乾燥性フィルム形成剤を含有するコーティング材料、塗料又は仕上塗料が前記組合せ物を全表面コーティングを基準として０．００１〜２重量％の量で含有する、請求項９に記載の方法。
【請求項１６】
前記の酸化的乾燥性フィルム形成剤を含有するコーティング材料、塗料又は仕上塗料が前記酸化的乾燥性フィルム形成剤としてアルキド樹脂を含有する、請求項９に記載の方法。
【請求項１７】
酸化的乾燥性フィルム形成剤を含有するコーティング材料、塗料又は仕上塗料でコーティングされた物品であって、前記コーティング材料、塗料又は仕上塗料中に、
（ａ）有機又は無機酸素スカベンジャーを、
（ｂ）式（II）のアルキルアミン
【化７】
2008501821.tif 000007
｛ここで、Ｒ3、Ｒ4及びＲ5は互いに独立的に水素（しかし３つすべてが水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
及び／又は
（ｃ）式（III）のアルキルアルカノールアミン
【化８】
2008501821.tif 000008
｛ここで、Ｒ6及びＲ8は互いに独立的に水素（しかし両方共が水素であることはできない）、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基であることができ、
Ｒ7は直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
と共に含む皮張り防止組合せ物が加えられた、前記物品。
【請求項１８】
前記有機又は無機酸素スカベンジャー次の一般式：
【化９】
2008501821.tif 000009
｛ここで、Ｒ1及びＲ2は互いに独立的に水素、直鎖状若しくは分岐鎖状で飽和若しくは不飽和のＣ1〜Ｃ20脂肪族基（これは随意に一置換若しくは複数置換されていてよい）、Ｃ6〜Ｃ12アリール基、Ｃ7〜Ｃ14アリール脂肪族基又はＣ5〜Ｃ7環状脂肪族基である｝
のヒドロキシルアミンである、請求項１７に記載の物品。
【請求項１９】
前記ヒドロキシルアミンがヒドロキシルアミン、モノメチルヒドロキシルアミン、ジメチルヒドロキシルアミン、メチルエチルヒドロキシルアミン、モノエチルヒドロキシルアミン、ジエチルヒドロキシルアミン、ジブチルヒドロキシルアミン、ジベンジルヒドロキシルアミン、モノイソプロピルヒドロキシルアミン及びそれらの混合物から選択される、請求項１８に記載の物品。
【請求項２０】
前記有機又は無機酸素スカベンジャーがヒドロキノン、置換ヒドロキノン、セミヒドロキノン、カテコール、置換カテコール、エリソルビン酸、カルボヒドラジド、メチルエチルケトキシム及び亜硫酸塩から選択される、請求項１７に記載の物品。
【請求項２１】
前記アルキルアミンがモノエチルアミン、ジエチルアミン、トリエチルアミン、モノイソプロピルアミン、ジイソプロピルアミン、モノブチルアミン、ジブチルアミン、トリブチルアミン、モノアミルアミン、ジメチルエチルアミン、ジメチルイソプロピルアミン、エチルジイソプロピルアミン、ｓｅｃ−ブチルアミン、テトラメチルプロピレンジアミン、ジエチルアミノプロピルアミン、３−メトキシプロピルアミン、ジメチルアミノプロピルアミノプロピルアミン及び３−イソプロポキシプロピルアミン並びにそれらの混合物から選択される、請求項１７に記載の物品。
【請求項２２】
前記アルキルアルカノールアミンがメチルアミノエタノール、ジメチルアミノエタノール、メチルジエタノールアミン、エチルアミノエタノール、ジエチルアミノエタノール、ジメチルアミノ−２−プロパノール、イソプロピルアミノエタノール、ジイソプロピルアミノエタノール、ブチルアミノエタノール、ジブチルアミノエタノール、ブチルジエタノールアミン、ｔ−ブチルアミノエタノール及びそれらの混合物から選択される、請求項１７に記載の物品。
【請求項２３】
前記の酸化的乾燥性フィルム形成剤を含有するコーティング材料、塗料又は仕上塗料が前記組合せ物を全表面コーティングを基準として０．００１〜２重量％の量で含有する、請求項１７に記載の物品。
【請求項２４】
前記の酸化的乾燥性フィルム形成剤を含有するコーティング材料、塗料又は仕上塗料が前記酸化的乾燥性フィルム形成剤としてアルキド樹脂を含有する、請求項１７に記載の物品。